(57)【要約】【課題】ユーザが読取りの設定状態を認識しなくとも自動的にユーザが希望している読取り方法を判断して両面読取りを確実に実行できる画像読取装置を提供する。【解決手段】読取モードが両面読取モードに設定され、かつ、白紙頁連続検出プログラムによって、複数の連続する原稿の中で１枚目の原稿から少なくとも２枚目の原稿までについて原稿の同じ側の面に白紙頁が連続して検出されたと判定された場合、白紙頁が存在する面と反対側の面の画像だけを読み取り、白紙頁が原稿の同じ側の面に連続して検出されたと判定しなかった場合、原稿の両面の画像を読み取るように両面原稿読取部５８を制御する。【選択図】図４
2011077786.tif 000002
【特許請求の範囲】
【請求項１】
複数の連続する原稿を搬送しながら、各原稿の両面の画像を読み取ることが可能な両面原稿読取部と、
原稿の一方の面の画像を読み取る片面読取モードと、原稿の両面の画像を読み取る両面読取モードとのいずれかを設定する読取モード設定部と、
原稿の少なくとも一方の面の画像が白紙頁であるか否かを検出する白紙頁検出部と、
前記白紙頁検出部により、複数の連続する原稿について原稿の同じ側の面に白紙頁が連続して検出されたか否かを判定する連続白紙頁判定部と、
前記読取モード設定部が両面読取モードを設定し、かつ、前記連続白紙頁判定部が、複数の連続する原稿の中で１枚目の原稿から少なくとも２枚目の原稿までについて原稿の同じ側の面に白紙頁が連続して検出されたと判定した場合、前記白紙頁が存在する面と反対側の面の画像だけを読み取り、前記白紙頁が原稿の同じ側の面に連続して検出されたと判定しなかった場合、原稿の両面の画像を読み取るように前記両面原稿読取部を制御する読取制御部とを備えることを特徴とする画像読取装置。
【請求項２】
請求項１に記載する画像読取装置において、
前記読取制御部は、
前記読取モード設定部が両面読取モードを設定し、かつ、前記連続白紙頁判定部が、複数の連続する原稿の中で１枚目の原稿から少なくとも２枚目の原稿までについて原稿の同じ側の面に白紙頁が連続して検出されたと判定した場合、前記読取モード設定部が読取モードを前記両面読取モードから前記片面読取モードに設定するように前記読取モード設定部を制御するモード制御部を含み、
前記読取制御部が、前記モード制御部により制御された前記読取モード設定部の読取モードに従って前記両面原稿読取部を制御する、
ことを特徴とする画像読取装置。
【請求項３】
請求項１に記載する画像読取装置において、
前記連続白紙頁判定部が、原稿の同じ側の面に存在する白紙頁の原稿の枚数をカウントするカウント部を有し、
前記カウント部が所定枚数をカウントした場合、前記読取制御部は、前記白紙頁が存在する面と反対側の面の画像だけを読み取るように前記両面原稿読取部を制御することを特徴とする画像読取装置。
【請求項４】
請求項１から請求項３のいずれかに記載する画像読取装置において、
前記白紙頁検出部が、前記両面原稿読取部により読み取られた原稿の画像データから、原稿の少なくとも一方の面の画像が白紙頁であるか否かを検出することを特徴とする画像読取装置。
【請求項５】
請求項１から請求項３にいずれかに記載する画像読取装置において、
前記白紙頁検出部が、原稿の少なくとも一方の面に画像が存在するか否かを検出する画像検出部を有し、その画像検出部の検出結果により、原稿の少なくとも一方の面の画像が白紙頁であるか否かを検出することを特徴とする画像読取装置。
【請求項６】
請求項１から請求項５のいずれかに記載する画像読取装置において、
前記両面原稿読取部が、
原稿の一方の面の画像を読み取る第１読取部と、
原稿の一方の面に対する他方の面の画像を読み取る第２読取部と、を有し、
前記第１読取部と前記第２読取部とによって読み取られたデータから、前記白紙頁検出部が、原稿の少なくとも一方の面の画像が白紙頁であるか否かを検出することを特徴とす
る画像読取装置。
【請求項７】
請求項１から請求項５のいずれかに記載する画像読取装置において、
前記両面原稿読取部が、
連続して搬送される複数の原稿の画像を読み取るための原稿読取位置に原稿の一方の面を対向させた状態で原稿を搬送し、原稿が前記原稿読取位置を通過したときに原稿をスイッチバックさせ、原稿読取位置に原稿の一方の面に対する他方の面を対向させた状態で原稿を搬送する原稿搬送部を有することを特徴とする画像読取装置。
【請求項８】
複数の連続する原稿を搬送しながら、各原稿の両面の画像を読み取ることが可能な両面原稿読取部と、
原稿の一方の面の画像を読み取る片面読取モードと、原稿の両面の画像を読み取る両面読取モードとのいずれかを設定する読取モード設定部と、
原稿の少なくとも一方の面の画像が白紙頁であるか否かを検出する白紙頁検出部と、
前記白紙頁検出部により、複数の連続する原稿について原稿の同じ側の面に白紙頁が連続して検出されたか否かを判定する連続白紙頁判定部と、
前記読取モード設定部が両面読取モードを設定し、かつ、前記連続白紙頁判定部が、複数の連続する原稿の中で１枚目の原稿から少なくとも２枚目の原稿までについて原稿の同じ側の面に白紙頁が連続して検出されたと判定した場合、現在の読取動作が両面読取りである旨を報知する報知部とを備えることを特徴とする画像読取装置。
【請求項９】
画像読取機能と、その画像読取機能により読み取られた画像を送信する画像送信機能と、前記画像読取機能により読み取られた画像を記録媒体に形成する画像形成機能とを有する複合機において、
複数の連続する原稿を搬送しながら、各原稿の両面の画像を読み取ることが可能な両面原稿読取部と、
原稿の一方の面の画像を読み取る片面読取モードと、原稿の両面の画像を読み取る両面読取モードとのいずれかを設定する読取モード設定部と、
原稿の少なくとも一方の面の画像が白紙頁であるか否かを検出する白紙頁検出部と、
前記白紙頁検出部により、複数の連続する原稿について原稿の同じ側の面に白紙頁が連続して検出されたか否かを判定する連続白紙頁判定部と、
前記読取モード設定部が両面読取モードを設定し、かつ、前記連続白紙頁判定部が、複数の連続する原稿の中で１枚目の原稿から少なくとも２枚目の原稿までについて原稿の同じ側の面に白紙頁が連続して検出されたと判定した場合、前記白紙頁が存在する面と反対側の面の画像だけを読み取り、前記白紙頁が原稿の同じ側の面に連続して検出されたと判定しなかった場合、原稿の両面の画像を読み取るように前記両面原稿読取部を制御する読取制御部とを備えることを特徴とする複合機。
【発明の詳細な説明】
【技術分野】
【０００１】
本発明は、原稿の両面読取機能と、複数枚の原稿の連続読取機能とを備えた画像読取装置及びその画像読取装置を備えた複合機に関する。
【背景技術】
【０００２】
従来、画像読取装置として、原稿の両面読取機能と、複数枚の原稿の連続読取機能とを備えたものが知られている。このような画像読取装置では、複数枚の原稿を連続的に読み取る際には、片面読取りを実行するか、両面読取りを実行するかをユーザが予め設定する操作が必要となっていた。そのため、両面読取りに設定して片面原稿を読み取ると、読み取る必要のない面の画像を読み取ってしまう問題があった。そこで、特許文献１に記載の画像読取装置は、１枚目の原稿を読み取って、原稿の画像が両面又は片面に形成されているかを検出し、この検出結果により、２枚目以降の読み取りを両面読取り又は片面読取りに自動的に設定している。すなわち、特許文献１に記載の画像読取装置においては、ユーザが両面読取り又は片面読取りの設定操作をしなくても、１枚目の原稿の読取画像に基づいて、２枚目以降の原稿の読み取りを両面読取り又は片面読取りに自動的に設定できるように構成されている。
【先行技術文献】
【特許文献】
【０００３】
【特許文献１】特開２００５−１９１８８６号公報
【発明の概要】
【発明が解決しようとする課題】
【０００４】
しかしながら、特許文献１に記載の画像読取装置は、両面原稿を含む複数枚の原稿の中で１枚目に表紙などの片面原稿がある場合、この複数枚の原稿を全て片面読取りしてしまうため、複数枚の原稿の中の両面原稿を正確に両面読取りできないことがあった。
【０００５】
本発明は、上述した問題を解決するためになされたものであり、その目的は、ユーザが読取りの設定状態を認識しなくとも自動的にユーザが希望している読取り方法を判断して両面読取りを確実に実行できる画像読取装置を提供することである。
【課題を解決するための手段】
【０００６】
この目的を達成するために、請求項１記載の画像読取装置は、複数の連続する原稿を搬送しながら、各原稿の両面の画像を読み取ることが可能な両面原稿読取部と、原稿の一方の面の画像を読み取る片面読取モードと、原稿の両面の画像を読み取る両面読取モードとのいずれかを設定する読取モード設定部と、原稿の少なくとも一方の面の画像が白紙頁であるか否かを検出する白紙頁検出部と、前記白紙頁検出部により、複数の連続する原稿について原稿の同じ側の面に白紙頁が連続して検出されたか否かを判定する連続白紙頁判定部と、前記読取モード設定部が両面読取モードを設定し、かつ、前記連続白紙頁判定部が、複数の連続する原稿の中で１枚目の原稿から少なくとも２枚目の原稿までについて原稿の同じ側の面に白紙頁が連続して検出されたと判定した場合、前記白紙頁が存在する面と反対側の面の画像だけを読み取り、前記白紙頁が原稿の同じ側の面に連続して検出されたと判定しなかった場合、原稿の両面の画像を読み取るように前記両面原稿読取部を制御する読取制御部とを備える。
【０００７】
本発明によれば、読取モード設定部が両面読取モードを設定し、かつ、連続白紙頁判定部が、複数の連続する原稿の中で１枚目の原稿から少なくとも２枚目の原稿までについて
原稿の同じ側の面に白紙頁が連続して検出されたと判定した場合、白紙頁が存在する面と反対側の面の画像だけを読み取り、白紙頁が原稿の同じ側の面に連続して検出されたと判定しなかった場合、原稿の両面の画像を読み取るように両面原稿読取部が読取制御部により制御される。したがって、ユーザが読取りの設定状態を認識しなくとも自動的にユーザが希望している読取り方法が判定されて両面読取りが確実に実行される。
【０００８】
請求項２記載の画像読取装置では、前記読取制御部は、前記読取モード設定部が両面読取モードを設定し、かつ、前記連続白紙頁判定部が、複数の連続する原稿の中で１枚目の原稿から少なくとも２枚目の原稿までについて原稿の同じ側の面に白紙頁が連続して検出されたと判定した場合、前記読取モード設定部が読取モードを前記両面読取モードから前記片面読取モードに設定するように前記読取モード設定部を制御するモード制御部を含み、前記読取制御部が、前記モード制御部により制御された前記読取モード設定部の読取モードに従って前記両面原稿読取部を制御する。
【０００９】
これにより、読取制御部が、読取モード設定部の読取モードを制御するモード制御部を含み、そのモード制御部により制御された読取モードに従って両面原稿読取部を制御する。したがって、複数の連続する原稿について両面原稿か又は片面原稿かが検出されることにより、ユーザが希望する読取モードが確実に設定される。
【００１０】
請求項３記載の画像読取装置では、前記連続白紙頁判定部が、原稿の同じ側の面に存在する白紙頁の原稿の枚数をカウントするカウント部を有し、前記カウント部が所定枚数をカウントした場合、前記読取制御部は、前記白紙頁が存在する面と反対側の面の画像だけを読み取るように前記両面原稿読取部を制御する。
【００１１】
これにより、所定枚数をカウントして白紙頁が存在する面と反対側の面の画像だけを読み取るように両面原稿読取部が制御されている。所定枚数をカウントするため、白紙頁が連続する状態が確実に判定され、白紙頁が存在する面と反対側の面の画像だけを読み取ることができる。したがって、白紙頁の連続する状態が判定されることにより、より確実にユーザの希望する面を読み取れる。
【００１２】
請求項４記載の画像読取装置では、前記白紙頁検出部が、前記両面原稿読取部により読み取られた原稿の画像データから、原稿の少なくとも一方の面の画像が白紙頁であるか否かを検出する。
【００１３】
これにより、両面原稿読取部により読取られた原稿の画像データを用いて、片面に白紙頁があるか否かを検出するため、白紙頁を検出する専用のセンサを設けることなく白紙頁を検出できる。
【００１４】
請求項５記載の画像読取装置では、前記白紙頁検出部が、原稿の少なくとも一方の面に画像が存在するか否かを検出する画像検出部を有し、その画像検出部の検出結果により、原稿の少なくとも一方の面の画像が白紙頁であるか否かを検出する。
【００１５】
これにより、画像検出部が、原稿の少なくとも一方の面の画像が白紙頁であるか否かを検出することから、１つの読取部が、スイッチバック機構を使用して原稿の両面の画像を検出する構成に比べ、白紙頁の検出を迅速に行うことができる。
【００１６】
請求項６記載の画像読取装置では、前記両面原稿読取部が、原稿の一方の面の画像を読み取る第１読取部と、原稿の一方の面に対する他方の面の画像を読み取る第２読取部と、を有し、前記第１読取部と前記第２読取部とによって読み取られたデータから、前記白紙頁検出部が、原稿の少なくとも一方の面の画像が白紙頁であるか否かを検出する。
【００１７】
これにより、第１読取部と前記第２読取部とによって読み取られたデータから白紙頁があるかが検出され、片面読取モードが設定された場合、第１読取部又は第２読取部のどちらか一方が画像を読み取る。この結果、１つの読取部が、スイッチバック機構を使用して原稿の両面の画像を検出する構成に比べ、白紙頁の検出及び画像の読み取りを迅速に行うことができる。
【００１８】
請求項７記載の画像読取装置では、前記両面原稿読取部が、連続して搬送される複数の原稿の画像を読み取るための原稿読取位置に原稿の一方の面を対向させた状態で原稿を搬送し、原稿が前記原稿読取位置を通過したときに原稿をスイッチバックさせ、原稿読取位置に原稿の一方の面に対する他方の面を対向させた状態で原稿を搬送する原稿搬送部を有する。
【００１９】
これにより、原稿搬送部が原稿をスイッチバックさせることにより原稿の両面が読み取られる。読取モードが片面読取モードに設定されると、両面読取モードに設定されたときに行われるスイッチバックの動作が実行されない。したがって、両面原稿読取部がスイッチバック機構を有する原稿搬送部を備える構成において、ユーザが片面読取りを希望する複数の原稿が両面読取モードで誤って読み取られる場合と比較して、片面読取モードが確実に設定されることにより、読み取り時間が短くなる。
【００２０】
請求項８記載の画像読取装置では、複数の連続する原稿を搬送しながら、各原稿の両面の画像を読み取ることが可能な両面原稿読取部と、原稿の一方の面の画像を読み取る片面読取モードと、原稿の両面の画像を読み取る両面読取モードとのいずれかを設定する読取モード設定部と、原稿の少なくとも一方の面の画像が白紙頁であるか否かを検出する白紙頁検出部と、前記白紙頁検出部により、複数の連続する原稿について原稿の同じ側の面に白紙頁が連続して検出されたか否かを判定する連続白紙頁判定部と、前記読取モード設定部が両面読取モードを設定し、かつ、前記連続白紙頁判定部が、複数の連続する原稿の中で１枚目の原稿から少なくとも２枚目の原稿までについて原稿の同じ側の面に白紙頁が連続して検出されたと判定した場合、現在の読取動作が両面読取りである旨を報知する報知部とを備える。
【００２１】
これにより、現在の読取動作が両面読取りである旨が報知される。ユーザは、読取モードを認識しないで読取動作を開始しても、報知により、現在の読取動作の動作状態を確認することができる。
【００２２】
請求項９記載の複合機では、画像読取機能と、その画像読取機能により読み取られた画像を送信する画像送信機能と、前記画像読取機能により読み取られた画像を記録媒体に形成する画像形成機能とを有する複合機において、複数の連続する原稿を搬送しながら、各原稿の両面の画像を読み取ることが可能な両面原稿読取部と、原稿の一方の面の画像を読み取る片面読取モードと、原稿の両面の画像を読み取る両面読取モードとのいずれかを設定する読取モード設定部と、原稿の少なくとも一方の面の画像が白紙頁であるか否かを検出する白紙頁検出部と、前記白紙頁検出部により、複数の連続する原稿について原稿の同じ側の面に白紙頁が連続して検出されたか否かを判定する連続白紙頁判定部と、前記読取モード設定部が両面読取モードを設定し、かつ、前記連続白紙頁判定部が、複数の連続する原稿の中で１枚目の原稿から少なくとも２枚目の原稿までについて原稿の同じ側の面に白紙頁が連続して検出されたと判定した場合、前記白紙頁が存在する面と反対側の面の画像だけを読み取り、前記白紙頁が原稿の同じ側の面に連続して検出されたと判定しなかった場合、原稿の両面の画像を読み取るように前記両面原稿読取部を制御する読取制御部とを備える。
【００２３】
これにより、読取モード設定部が両面読取モードを設定し、かつ、連続白紙頁判定部が、複数の連続する原稿の中で１枚目の原稿から少なくとも２枚目の原稿までについて原稿の同じ側の面に白紙頁が連続して検出されたと判定した場合、白紙頁が存在する面と反対側の面の画像だけを読み取り、白紙頁が原稿の同じ側の面に連続して検出されたと判定しなかった場合、原稿の両面の画像を読み取るように両面原稿読取部が読取制御部により制御される。したがって、ユーザが読取りの設定状態を認識しなくとも自動的にユーザが希望している読取り方法が判断されて両面読取りが確実に実行される。
【発明の効果】
【００２４】
本発明によれば、ユーザが読取りの設定状態を認識しなくとも自動的にユーザが希望している読取り方法が判断されて両面読取りが確実に実行される。
【図面の簡単な説明】
【００２５】
【図１】本発明の第１の実施形態に係る複合機１０の斜視図である。
【図２】図１における複合機１０を前から後に向かう方向に見た断面図である。
【図３】本発明の第１の実施形態に係る複合機１０の電気的構成を示すブロック図である。
【図４】本発明の第１の実施形態に係る複合機１０の両面原稿読取部５８の読取制御の動作手順を示すフローチャートである。
【図５】複数枚の原稿の中で１枚目から４枚目までの片面原稿と両面原稿とを読み取る順番の各パターンについて、従来技術と本発明の実施形態との読取制御動作を対比して示す一覧表である。
【図６】本発明の第３の実施形態に係る複合機１０の両面原稿読取部５８の読取制御の動作手順を示すフローチャートである。
【図７】本発明の第４の実施形態に係る複合機１０の両面原稿読取部５８の読取制御の動作手順を示すフローチャートである。
【発明を実施するための形態】
【００２６】
［第１の実施形態］
以下、本発明の画像読取装置を具体化した第１の実施形態について、添付図面を参照しながら詳細に説明する。本実施形態は、電子写真方式のカラープリンタに本発明を適用したものである。
【００２７】
＜複合機の全体構成＞
図１は、本発明の第１の実施形態に係る複合機１０を示す斜視図である。図２は、図１における複合機１０を前から後に向かう方向に見た断面図である。図１において、複合機１０は、画像読取装置２０、この画像読取装置２０の上部に配置された自動原稿搬送装置（ＡＤＦ：Auto Document Feeder）１１、給紙トレイ１２、排紙トレイ１４、入力装置２１、表示装置２３等を備えている。なお、前後方向、左右方向、及び上下方向は、図１及び図２に矢印で示す方向である。
【００２８】
ＡＤＦ１１は、画像読取装置２０に対して回動自在に設けられている。そのため、ＡＤＦ１１は、画像読取装置２０の上面を開閉することができる。ＡＤＦ１１は、原稿が載置される給紙トレイ１２と、原稿が排出される排紙トレイ１４とを備えている。給紙トレイ１２及び排紙トレイ１４は、上下方向に二段に配設されている。具体的には、排紙トレイ１４の上方に給紙トレイ１２が配置されている。なお、本実施形態では、排紙トレイ１４は、ＡＤＦ１１の上面に形成された凹部により構成されている。
【００２９】
ＡＤＦ１１は、給紙トレイ１２から引き出した原稿をＵターン搬送路１６に沿って搬送し、排紙トレイ１４へ排出する。給紙トレイ１２は、複数枚の原稿を収容することができ
る。原稿検知センサ３０は、原稿が給紙トレイ１２に収容しているか否かを検知する。ＡＤＦ１１は、原稿検知センサ３０が原稿を検知した状態で給紙トレイ１２から１枚ずつ連続して原稿を取り出す。給紙トレイ１２から取り出された原稿は、Ｕターン搬送路１６に沿って排紙トレイ１４へ向かう向きを「搬送向き」として、排紙トレイ１４へ自動的に搬送される。このＡＤＦ１１は、イメージセンサ２４を備えている。図２が示すように、このイメージセンサ２４は、原稿が搬送路１６に沿って搬送される際に、当該原稿の裏面である第１面に記録された画像を読み取る。このイメージセンサ２４としては、典型的にはＣＩＳ（Contact Image Sensor） やＣＣＤ（Charge Coupled Device）が採用される。本実施形態のイメージセンサ２４は、本発明の第１読取部の一例である。
【００３０】
画像読取装置２０は、コンタクトガラス２２を備えている。このコンタクトガラス２２は、画像読取装置２０の上面に配置されている。このコンタクトガラス２２の下方に、イメージセンサ２５が備えられている。このイメージセンサ２５は、原稿がＵターン搬送路１６に沿って搬送される際に、原稿の表面である第２面に記録された画像を読み取る。このイメージセンサ２５としても、典型的にはＣＩＳ（Contact Image Sensor） やＣＣＤ
（Charge Coupled Device）が採用される。本実施形態のイメージセンサ２５は、本発明
の第２読取部の一例である。
【００３１】
画像読取装置２０は、ＡＤＦ１１が適用可能なものであれば如何なる構成のものであってもよい。なお、本実施形態は、本発明が画像読取装置２０及びこれに適用可能なＡＤＦ１１として実施される一例であるが、本発明は、トナーやインクなどの画像記録材を記録用紙に付着させて画像を記録する画像記録装置として実施されてもよい。
【００３２】
入力装置２１は、タッチパネル、押しボタンスイッチ、あるいはテンキーなどから構成される。表示装置２３は、ＬＣＤ等からなる。
【００３３】
複数の原稿は、積層された状態で給紙トレイ１２上に載置される。このとき、原稿は、表面を上にして給紙トレイ１２上に載置される。給紙トレイ１２に原稿が載置された状態で、入力装置２１から読取動作開始指令が入力されると、原稿の画像が読み取り始められる。ＡＤＦ１１によって給紙トレイ１２から取り出された原稿は、その裏面に記録された画像がイメージセンサ２４により読み取られる。この原稿は、さらにＵターン搬送路１６に沿って送られ、湾曲搬送路２７を通過する際に表裏反転される。そして、原稿の表面に記録された画像がイメージセンサ２５によって読み取られる。その後、排紙トレイ１４に排出された原稿は、表面を下にして排紙トレイ１４上にスタックされる。
【００３４】
＜両面原稿読取部＞
第１の実施形態では、両面原稿読取部５８が、ＡＤＦ１１、イメージセンサ２４、及びイメージセンサ２５の組み合わせに相当する。前述のように、イメージセンサ２４はＡＤＦ１１に設けられている。このイメージセンサ２４は、搬送ローラ３２とピンチローラ３３との間に配置され、第１搬送路２６を臨む位置に配置されている。したがって、第１搬送路２６に沿って搬送される原稿は、イメージセンサ２４の近傍を通過する。この際に、当該原稿の裏面に記録された画像がイメージセンサ２４によって読み取られる。また、イメージセンサ２４の対向する位置に、第１白部材３４が配置されている。この第１白部材３４にコイルバネ３５が設けられており、これにより、第１白部材３４は、イメージセンサ２４側へ弾性的に付勢されている。したがって、この第１白部材３４は、第１搬送路２６に沿って搬送される原稿をイメージセンサ２４に押し付ける。その結果、イメージセンサ２４による良好な画像読取が可能となる。
【００３５】
また、前述のように、イメージセンサ２５は画像読取装置２０側に設けられている。このイメージセンサ２５は、スライド軸３６に対してスライド自在に支持されている。スラ
イド軸３６は、画像読取装置２０の筐体に固定されており、図２が示すように図中左右方向に延びている。すなわち、スライド軸３６は、原稿の搬送向き及び反搬送向きに延びている。イメージセンサ２５は、図示されていないモータを駆動源として、所要の駆動伝達機構を介してスライドするようになっている。この場合の駆動伝達機構とは、たとえばプーリー・ベルト機構が例示される。
【００３６】
画像読取装置２０のコンタクトガラス２２は、二分割されている。すなわち、コンタクトガラス２２は、固定読取用ガラス３７と移動読取用ガラス３８とを有する。この移動読取用ガラス３８がいわゆる「プラテンガラス」と称されるものであり、ＡＤＦ１１が使用されない場合に、１枚ずつ原稿が載置される。そして、イメージセンサ２５がスライドされつつ原稿に記録された画像が読み取られる。
【００３７】
固定読取用ガラス３７は、ＡＤＦ１１が使用される場合に、連続して原稿が通過するものである。この固定読取用ガラス３７と移動読取用ガラス３８との間に原稿離反部材３９が設けられている。この原稿離反部材３９は、第２搬送路２８に進入して固定読取用ガラス３７に接した原稿を当該固定読取用ガラス３７からすくい上げる。これにより、原稿は、固定読取用ガラス３７から離反して第２搬送路２８に沿って送られる。
【００３８】
ＡＤＦ１１が使用される場合、イメージセンサ２５は、所定の画像読取位置１８に移動して停止される。イメージセンサ２５が画像読取位置１８に停止することにより、イメージセンサ２５は、第２搬送路２８を臨む位置に配置される。この画像読取位置１８は、固定読取用ガラス３７の端部であって、上記原稿離反部材３９に沿う部位である。原稿は、固定読取用ガラス３７の上記画像読取位置１８に到達し、その後に原稿離反部材３９により固定読取用ガラス３７からすくい上げられる。原稿は、画像読取位置１８を通過する際に開口４２から露出する。すなわち、原稿の表面に記録された画像が開口４２から露出する。画像読取位置１８で待機するイメージセンサ２５は、この露出した画像を読み取る。
【００３９】
画像読取位置１８に対応する位置に第２白部材４０が配置されている。具体的には、この第２白部材４０は、ＡＤＦ１１のアンダーガイド３１に固定されている。第２白部材４０は、画像読取位置１８で待機するイメージセンサ２５と対向する。この第２白部材４０にコイルバネ４１が設けられている。このため、第２白部材４０は、イメージセンサ２５側へ弾性的に付勢されている。第２搬送路２８に沿って搬送される原稿の先端が第２白部材４０に到達すると、原稿は、第２白部材４０と固定読取用ガラス３７との間に進入する。この第２白部材４０は、原稿を固定読取用ガラス３７に押し付ける。その結果、イメージセンサ２５による良好な画像読取が可能となる。
【００４０】
＜複合機の電気的構成＞
図３は、本発明の第１の実施形態に係る複合機１０の電気的構成を表すブロック図である。複合機１０は、ＣＰＵ５０、各種メモリ領域を備えるＲＡＭ５１、各種プログラムを記憶するＲＯＭ５２、バスライン５３、入出力部５７（図中では「Ｉ／Ｏ」と表示）、記憶装置５６、通信ネットワークに接続されて外部装置５４（ＰＣ）との間でデータの送受信をする通信インタフェース５５（図中では「Ｉ／Ｆ」と表示）、及び受信した印刷制御データを一時格納する受信バッファメモリ６１を備えて構成される。入出力部５７には、タッチパネル、押しボタンスイッチあるいはテンキーなどから構成された入力装置２１、ＬＣＤ等からなる表示装置２３、および周知のインクジェット印字機構、レーザー印字機構、熱転写印字機構、あるいはドットインパクト式印字機構などからなる印刷部５９が接続されている。また、入出力部５７には、両面原稿の画像を読取可能な両面原稿読取部５８、公衆電話回線を通じて画像データを送受信するＦＡＸ部６０が接続されている。なお、本実施形態の複合機１０は印刷機能、画像読取機能、ＦＡＸ機能の３種類の機能を備えているが、このうち少なくとも画像読取機能があればよく、印刷機能とＦＡＸ機能は必ず
しも必要ではない。両面原稿読取部５８は、ＡＤＦ１１、イメージセンサ２４、及び、イメージセンサ２５などから構成されている。記憶装置５６は、例えばＥＥＰＲＯＭなどの不揮発性メモリや、ハードディスクで構成される。
【００４１】
ＲＡＭ５１には、イメージセンサ２４により読み取られた原稿の画像を記憶する裏面画像メモリ領域、及び、イメージセンサ２５により読み取られた原稿の画像を記憶する表面画像メモリ領域を備える画像領域ＡＲ１が設けられている。また、ＲＡＭ５１には、裏面の白紙の記録紙の黒データ量を記憶する裏面基準黒データメモリ領域、及び、表面の白紙の記録紙の黒データ量を記憶する表面基準黒データメモリ領域を備える基準黒データ領域ＡＲ２が設けられている。また、ＲＡＭ５１には、原稿の裏面の黒データ量を記憶する裏面黒データメモリ領域、及び、原稿の表面の黒データ量を記憶する表面黒データメモリ領域を備える黒データ領域ＡＲ３が設けられている。また、ＲＡＭには、原稿表白紙カウンタの値を記憶する原稿表白紙カウンタメモリ領域、及び、原稿裏白紙カウンタの値を記憶する原稿裏白紙カウンタメモリ領域を備えるカウンタ値領域ＡＲ４が設けられている。
【００４２】
ＲＯＭ５２には、白紙頁検出領域ＰＲ１、白紙頁連続検出領域ＰＲ２、読取モード設定領域ＰＲ３、片面両面読取切替制御領域ＰＲ４が設けられている。白紙頁検出領域ＰＲ１には、白紙頁検出プログラムが記憶されている。白紙頁連続検出領域ＰＲ２には、白紙頁連続検出プログラムが記憶されている。読取モード設定領域ＰＲ３には、読取モード設定プログラムが記憶されている。片面両面読取切替制御領域ＰＲ４には、片面両面読取切替制御プログラムが記憶されている。本実施形態において、読取モード設定プログラムが記憶されているＲＯＭ５２の読取モード設定領域ＰＲ３は、本発明の読取モード設定部の一例である。
【００４３】
白紙頁検出プログラムは、イメージセンサ２４、２５によって読み取られた原稿が白紙頁であるか否かを検出するためのプログラムである。白紙頁検出プログラムが実行されると、表面画像メモリ領域と裏面画像メモリ領域とに記憶された画像データから黒データ量がカウントされ、それぞれのカウント値が表面黒データメモリ領域と裏面黒データメモリ領域とに格納される。次に表面黒データメモリ領域と表面基準黒データメモリ領域との黒データ量を比較して、原稿の表面が白紙頁であるか否かが判断される。同様に裏面黒データメモリ領域と裏面基準黒データメモリ領域との黒データ量を比較して、原稿の裏面が白紙頁であるか否かが判断される。
【００４４】
白紙頁連続検出プログラムは、イメージセンサ２４、２５によって読み取られた原稿が白紙頁であると連続して検出された回数をカウントし、所定枚数連続で検出すると片面原稿であると判定するためのプログラムである。白紙頁連続検出カウントプログラムが実行されると、表面の原稿に白紙頁が検出される毎に原稿表白紙カウンタの値がインクリメントされ、連続で白紙頁が検出されないと原稿表白紙カウンタの値が０枚にリセットされ原稿表白紙カウンタメモリ領域に記憶される。この原稿表白紙カウンタメモリ領域に記憶された原稿表白紙カウンタの値がＲＡＭ５１に記憶されている所定の片面原稿判定値になると、後続の原稿の表面は白紙頁であると判定される。裏面も同様に、裏面の原稿に白紙頁が検出される毎に原稿裏白紙カウンタの値がインクリメントされ、連続で白紙頁が検出されないと原稿裏白紙カウンタの値が０枚にリセットされ原稿裏白紙カウンタメモリ領域に記憶される。この原稿裏白紙カウンタメモリ領域に記憶された原稿裏白紙カウンタの値が所定の片面原稿判定値になると、後続の原稿の裏面は白紙頁であると判定される。
【００４５】
読取モード設定プログラムは、読取動作が開始される前の初期設定でユーザによって入力装置２１から両面読取モード又は片面読取モードの読取モードが指定される際に、その指定に従って読取モードを設定するプログラムである。
【００４６】
片面両面読取切替制御プログラムは、両面読取モードが設定されている場合に、読取モードの設定は変更せずに、両面読取りから片面読取りに切り替えて読取動作を制御するためのプログラムである。本実施形態では、表面だけを読み取る片面読取りを行う場合、イメージセンサ２４をオフ、イメージセンサ２５をオンにして読み取りが制御される。同様に、裏面だけを読み取る片面読取りを行う場合、イメージセンサ２４をオン、イメージセンサ２５をオフにして読み取りが制御される。両面読取りから片面読取りに切り替える方法は、片面両面読取切替制御プログラムを実行させる方法と、読取モード設定プログラムにより両面読取モードから片面読取モードに切り替える方法とがある。本実施形態では、読取モードの設定は変更せずに、両面読取りから片面読取りに切り替える片面両面読取切替制御プログラムを実行させる方法を用いて説明する。他の実施形態で、読取モード設定プログラムにより両面読取モードから片面読取モードに切り替える方法を説明する。
【００４７】
＜画像読取装置の動作例＞
次に、複合機１０の両面原稿読取部５８の読取制御について、図５に示した各パターン毎に、図４に示すフローチャートを参照しながら説明する。図４は、複合機１０をスキャナとして機能する場合の両面原稿読取部５８の読取制御について示しており、具体的には、ＡＤＦ１１にセットされた複数枚の原稿が両面原稿読取部５８で読み取られる場合の両面原稿読取部５８の読取制御について示している。図５は、複数枚の原稿の１枚目から４枚目までの片面原稿と両面原稿とを読み取る順番の各パターンについて、従来技術と本発明の実施形態との読取制御を対比して示す一覧表である。
【００４８】
＜通常の両面原稿読取り動作＞
まず始めに、複数の両面原稿を読み取る場合について説明する。ユーザは複合機１０の電源を投入して通常の準備動作が行われた後に、複数枚の両面原稿をＡＤＦ１１の給紙トレイ１２に載置する。次に、キーボタンなどの入力装置２１から読取モードを両面読取モードに設定する。ユーザが初期設定を行って、スタートボタンを押下することで読取動作が開始される。載置された全ての両面原稿が読み取られると、この読取動作が終了する。
【００４９】
＜パターン１の読取動作＞
次に、別のユーザが載置した複数枚の片面原稿を読み取る場合について図４を参照しながら説明する。別のユーザが表面に画像が形成された片面原稿をＡＤＦ１１の給紙トレイ１２に載置して、読取モードを設定し忘れてスタートボタンを押下した場合について説明する。この場合、通常の読取動作では読取モードは前回使用したユーザの設定が維持されて両面読取モードで読取動作が行われる。したがって、複数枚の片面原稿を全て両面読取りしてしまうため、画像が形成されていない裏面の画像も読み取ってしまう。その結果、不要な読取処理が行われたり、不要な画像データが記憶されたりする不具合が起こる。そこで、このような不具合を軽減する本発明の第１実施形態に係る複合機１０の読取動作について説明する。
【００５０】
図４に示す読取動作は、ユーザによってスタートボタンが押下されることで読取動作開始指令が入力されて開始される。読取動作が開始されると、まず、原稿表白紙カウンタと原稿裏白紙カウンタとの値が０枚にリセットされる（Ｓ１０１）。次に、キーボタンなどの入力装置２１から予め設定された片面原稿判定値（例えば２枚）が読み取られ、片面原稿判定値が設定される（Ｓ１０２）。入力装置２１からの設定がされていない場合は、初期設定値として例えば２枚が片面原稿判定値として設定されるものとする。
【００５１】
読取動作が実行される前に入力装置のキーボタンなどにより予め設定された読取モードが片面読取モードと両面読取モードとのどちらに設定されているかが判断される（Ｓ１０３）。本実施形態では、両面読取モードに設定されている状態でスタートボタンが押下されるため、読取モードが両面読取モードに設定されていると判断され（Ｓ１０３：Ｙｅｓ
）、１枚目の片面原稿がＡＤＦ１１によって搬送され、片面原稿の両面が読み取られる（Ｓ１０４）。
【００５２】
表面のみ画像が形成され裏面は白紙頁である１枚目の原稿の両面が読み取られると、Ｓ１０５で白紙頁検出プログラムが実行されて原稿の裏面が白紙頁であると判断され（Ｓ１０５：Ｙｅｓ）、原稿裏白紙カウンタの値がインクリメントされる（Ｓ１０６）。表面は画像が形成されているので、Ｓ２０１で原稿の表面が白紙頁でないと判断され（Ｓ２０１：Ｎｏ）、原稿表白紙カウンタの値が０枚にリセットされる（Ｓ２０３）。本実施形態のＣＰＵ５０、Ｓ１０５、Ｓ２０１、白紙頁検出領域ＰＲ１、画像領域ＡＲ１、基準黒データ領域ＡＲ２及び黒データ領域ＡＲ３は、本発明の白紙頁検出部の一例である。
【００５３】
白紙頁が連続で存在することを検出するための白紙頁連続検出プログラムが実行されて、Ｓ２０４で原稿裏白紙カウンタの値が片面原稿判定値であるか否かが判断され、Ｓ２０５で原稿表白紙カウンタの値が片面原稿判定値であるか否かが判断される。１枚目の原稿の読み取り時には白紙頁が連続して検出されないため、このＳ２０４とＳ２０５との処理は両方とも否と判断され、次の原稿の確認が行われる（Ｓ２０６）。Ｓ２０６では、ＡＤＦ１１の原稿検知センサによって次の原稿があるか否かが判断される。残りの片面原稿が給紙トレイ１２に載置されているので、Ｓ２０６では次の原稿があると判断されて（Ｓ２０６：Ｙｅｓ）、Ｓ１０４の処理が繰り返される。本実施形態のＣＰＵ５０、Ｓ２０４、Ｓ２０５、白紙頁連続検出領域ＰＲ２及びカウンタ値領域ＡＲ４は、本発明の連続白紙頁判定部の一例である。
【００５４】
２枚目の片面原稿がＡＤＦ１１によって搬送され、片面原稿の両面が読み取られる（Ｓ１０４）。表面のみに画像が形成されているので、原稿の裏面が白紙頁であると判断され（Ｓ１０５：Ｙｅｓ）、原稿裏白紙カウンタの値が１枚から２枚にインクリメントされる（Ｓ１０６）。また、原稿の表面が白紙頁でないと判断され（Ｓ２０１：Ｎｏ）、原稿表白紙カウンタの値が０にリセットされる（Ｓ２０３）。
【００５５】
原稿裏白紙カウンタの値が２枚であるため、原稿裏白紙カウンタの値が片面原稿判定値であると判断される（Ｓ２０４：Ｙｅｓ）。読み取る複数の原稿の裏面に白紙頁が連続で検出されたと判断され、Ｓ３０２の処理が行われる。
【００５６】
Ｓ３０２では、次の原稿があるか否か判断される。次の３枚目の原稿が給紙トレイ１２に載置されているため、次の原稿があると判断されて（Ｓ３０２：Ｙｅｓ）、表面の原稿だけを１枚読み取る（Ｓ３０１）。Ｓ３０１の処理が終わるとＳ３０２の判断が繰り返され、載置した複数枚の原稿が全て読み取られ、Ｓ３０２で次の原稿がないと判断されると（Ｓ３０２：Ｎｏ）、この読取制御の動作が終了する。なお、Ｓ３０１で表面原稿を読み取る場合、片面両面読取切替制御プログラムによってイメージセンサ２４をオフに、イメージセンサ２５をオンにして読み取りが制御される。
【００５７】
このように同じ側の面に白紙頁が連続して検出されると、次に読み取る原稿からは片面原稿であると判断され、両面読取モードに設定されていても、片面読取りで載置された残りの原稿を読み取ることができる。このためユーザが片面読取りを希望しているにもかかわらず、ユーザが読取モードの設定状態を認識せずに読取動作が開始されても、不要な読取処理や不要な画像データが記憶される不具合を軽減して、ユーザの希望する読取動作で正確に読み取ることができる。
【００５８】
＜パターン２の読取動作＞
複数の原稿の中で１枚目に読み取られる原稿が表面のみに画像が形成されており、２枚目以降が全て両面に画像が形成されている場合の読取制御について説明する。例えば論文
などの複数枚の原稿の画像が全て両面に形成されているにもかかわらず、表紙などの１枚目の画像が表面のみに形成されている場合がある。このような複数枚の原稿を読み取る場合について図４に示すフローチャートを用いて説明する。
【００５９】
読取動作は、原稿がＡＤＦ１１に載置され、スタートボタンが押下されると読取動作開始指令が入力されて開始される。スタートボタンが押下されると、まず、原稿表白紙カウンタと原稿裏白紙カウンタとの値が０枚にリセットされる（Ｓ１０１）。次に、キーボタンなどの入力装置２１から予め設定された片面原稿判定値（例えば２枚）が読み取られ、片面原稿判定値が設定される（Ｓ１０２）。入力装置２１からの設定がされていない場合は、初期設定値として例えば２枚が片面原稿判定値として設定されるものとする。
【００６０】
読取動作が実行される前に入力装置のキーボタンなどにより予め設定された読取モードが片面読取モードと両面読取モードとのどちらに設定されているかが判断される（Ｓ１０３）。本実施形態では、初期設定で両面読取モードに設定されている状態でスタートボタンが押下される場合を想定している。つまり、ユーザがスタートボタンを押下する前にキーボタンなどにより読取モードを設定し忘れる場合がある。このためユーザが読取モードの設定状態を認識せずに読取動作が開始されることがある。
【００６１】
読取モードが両面読取モードに設定されていると判断され（Ｓ１０３：Ｙｅｓ）、１枚目の片面原稿がＡＤＦ１１によって搬送され、片面原稿の両面が読み取られる（Ｓ１０４）。表面のみ画像が形成され裏面は白紙頁である１枚目の原稿の両面が読み取られると、Ｓ１０５で白紙頁検出プログラムが実行されて原稿の裏面が白紙頁であると判断され（Ｓ１０５：Ｙｅｓ）、原稿裏白紙カウンタの値がインクリメントされる（Ｓ１０６）。表面は画像が形成されているので、Ｓ２０１で原稿の表面が白紙頁でないと判断され（Ｓ２０１：Ｎｏ）、原稿表白紙カウンタの値が０枚にリセットされる（Ｓ２０３）。
【００６２】
白紙頁が連続で存在することを検出するための白紙頁連続検出プログラムが実行されて、Ｓ２０４で原稿裏白紙カウンタの値が片面原稿判定値であるか否かが判断され、Ｓ２０５で原稿表白紙カウンタの値が片面原稿判定値であるか否かが判断される。１枚目の原稿の読み取り時には白紙頁が連続して検出されないため、このＳ２０４とＳ２０５との処理は両方とも否と判断され、次の原稿の確認が行われる（Ｓ２０６）。Ｓ２０６では、ＡＤＦ１１の原稿検知センサ３０によって次の原稿があるか否かが判断される。残りの両面原稿が給紙トレイ１２に載置されているので、Ｓ２０６では次の原稿があると判断されて（Ｓ２０６：Ｙｅｓ）、Ｓ１０４の処理が繰り返される。
【００６３】
２枚目の両面原稿がＡＤＦ１１によって搬送され、両面原稿の両面が読み取られる（Ｓ１０４）。表面と裏面とに画像が形成されているので、原稿の裏面が白紙頁でないと判断され（Ｓ１０５：Ｎｏ）、原稿裏白紙カウンタの値が１枚から０枚にリセットされる（Ｓ１０７）。また、原稿の表面が白紙頁でないと判断され（Ｓ２０１：Ｎｏ）、原稿表白紙カウンタの値が０にリセットされる（Ｓ２０３）。
【００６４】
原稿裏白紙カウンタの値が０枚であるため、原稿裏白紙カウンタの値が片面原稿判定値でないと判断される（Ｓ２０４：Ｎｏ）。同様に原稿表白紙カウンタの値が０枚であるため、原稿表白紙カウンタの値が片面原稿判定値でないと判断される（Ｓ２０５：Ｎｏ）。
【００６５】
３枚目の原稿が読み取られる。２枚目以降が全て両面原稿であるため、白紙頁が連続して同じ面に検出されず、設定された両面読取モードに従って原稿の両面が読み取られるように３枚目以降が制御される。そして載置した複数枚の原稿が全て読み取られ、Ｓ２０６で次の原稿がないと判断されると（Ｓ２０６：Ｎｏ）、この読取制御の動作が終了する。
【００６６】
原稿の１枚目が片面原稿又は両面原稿であるかによって残りの原稿の読取制御を決定してしまう従来の技術では、パターン２の読取動作の場合、２枚目以降を全て片面で読み取ってしまう。本発明では複数枚の両面原稿に表紙だけ片面原稿がある場合でも、ユーザが読取モードの設定状態を認識しないでユーザの希望する読み取り方法を判断して確実に両面読取を実行できる。
【００６７】
＜パターン３の読取動作＞
複数の原稿の中で１枚目に読み取られる原稿が両面原稿であり、２枚目以降が全て裏面のみに画像が形成されている片面原稿である場合の読取制御について説明する。例えば、複数枚の原稿全てが裏面のみに画像が形成されている片面原稿であって、１枚目の原稿の表面だけ汚れが付いて両面原稿であると判断される場合がある。これは、複数枚の原稿のうち１枚目の表面と最終頁の裏面とが外側に触れられやすく、汚れが付着することがある。このような複数枚の原稿を読み取る場合について図４に示すフローチャートを用いて説明する。
【００６８】
スタートボタンが押下されると、１枚目の両面原稿がＡＤＦ１１によって搬送され、読み取られる（Ｓ１０４）。両面原稿であるため、原稿裏白紙カウンタの値は０枚にリセット（Ｓ１０７）され、原稿表白紙カウンタの値も０枚にリセット（Ｓ２０３）される。白紙頁が連続で検出されないため、次の原稿の読み取りに移る。
【００６９】
２枚目の原稿は裏面のみに画像が形成されている片面原稿であるので、原稿裏白紙カウンタの値は０枚のままで（Ｓ１０７）、原稿表白紙カウンタの値がインクリメントされて１枚となる（Ｓ２０２）。同様に３枚目の片面原稿を読み取ると、原稿表白紙カウンタの値が２枚となる（Ｓ２０２）。ここで片面原稿判定値が２枚に設定されていると、Ｓ２０５で原稿表白紙カウンタの値が片面原稿判定値と同じ２枚であると判定され（Ｓ２０５：Ｙｅｓ）、Ｓ３０４の処理が行われる。本実施形態のＣＰＵ５０、Ｓ１０６、Ｓ１０７、Ｓ２０２、Ｓ２０３及びカウンタ値領域ＡＲ４は、本発明のカウント部の一例である。
【００７０】
Ｓ３０４では、次の原稿があるか否かが原稿検知センサによって判断される。次の原稿があると判断されると（Ｓ３０４：Ｙｅｓ）、裏面原稿が１枚読み取られ（Ｓ３０３）、Ｓ３０４で次の原稿があると判断され続ける限りＳ３０３の処理が繰り返される。Ｓ３０３で裏面原稿を読み取る場合、片面両面読取切替制御プログラムによってイメージセンサ２４をオンに、イメージセンサ２５をオフにして読み取りが制御される。本実施形態のＣＰＵ５０、Ｓ１０４、Ｓ３０１、Ｓ３０３及び片面両面読取切替制御領域ＰＲ４は、本発明の読取制御部の一例である。
【００７１】
複数の原稿が全て読み取られ、次の原稿がないと判断された場合（Ｓ３０４：Ｎｏ）、この読取制御の動作が終了する。この読取制御によって、複数の片面原稿の中に１枚目にだけ両面原稿がある場合にでも、全ての原稿を両面読取りすることなく、連続する白紙頁を検出することで適宜片面読取りに切り替えることができる。したがって、ユーザの意図しない白紙頁を読み取って不要な画像データを記憶する無駄を減らすことができる。
【００７２】
［第２の実施形態］
＜パターン４の読取動作＞
次に、片面原稿判定値を２枚から３枚に増やして設定された場合の第２の実施形態について説明する。ここでは、複数の原稿の中で３枚目に読み取られる原稿だけが両面に画像が形成されており、残りの原稿が全て表面の片面に画像が形成されている場合の読取制御について説明する。この場合、片面原稿判定値が２枚のままであれば、最初から２枚目までの読み取りで片面原稿が連続するため、白紙頁が連続して検出されて片面読取りに切り替えられて残りの原稿の読取動作が行われてしまう。その結果、３枚目に読み取られる両
面原稿が片面で読み取られてしまう。
【００７３】
第２の実施形態は、載置した原稿の枚数が比較的多く、両面原稿が両面読取動作で読み取られる確実性をより向上させたい場合に適用される実施形態である。例えば、複数枚の原稿を載置した際に、読取動作の初期設定で読み取る原稿の枚数が多いと入力され又は判断されて、自動的に片面原稿判定値が３枚に増やされるようにする。片面原稿判定値は増やされるほど両面原稿が両面読取動作で読み取られる確実性を向上させることができるが、片面原稿が含まれる場合、無駄に白紙頁を読み取ったり、白紙頁の画像データを記憶させてしまうことがある。片面原稿判定値を増やす場合は、３枚から５枚程度が妥当である。
【００７４】
複数枚の原稿の中で３枚目に初めて両面原稿が存在する場合に、その複数枚の原稿が給紙トレイ１２に載置されて、スタートボタンが押下されると、１枚目、２枚目まで裏面が白紙頁であると検出されて（Ｓ１０５：Ｙｅｓ）原稿裏白紙カウンタの値が２枚にカウントされる。この時点で、原稿裏白紙カウンタの値が片面原稿判定値の３枚にならないため、３枚目の原稿が読み取られる。３枚目の原稿が両面原稿であるため、原稿裏白紙カウンタの値が２枚から０枚にリセットされ（Ｓ１０７）、両面読取モードのまま両面読取りで次の原稿が読み取られる。
【００７５】
続く４枚目以降で５枚目、６枚目と連続して３枚の白紙頁が検出されると、次ぎの原稿である７枚目の原稿から両面読取りから片面読取りに切り替えられて読取動作が行われる。このように、第２の実施形態では、片面読取りに切り替えられる閾値である片面原稿判定値の所定枚数を増やすことで、両面原稿が両面読取りで読み取られる確実性をより向上させることができる。
【００７６】
［第３の実施形態］
第３の実施形態について図６を参照して以下に説明する。図６は、載置された複数枚の原稿が片面原稿であると判定された後に、片面読取りに切り替えられずに現在の両面読取りをユーザに報知する場合の読取動作のフローチャートである。この読取動作の場合、基本的な動作は図４に示すフローチャートと同じであり、ステップの番号が同じものがそれぞれ図４と対応している。ここでは、第３の実施形態の読取動作が、図４に示す読取動作とは異なる点だけ説明する。
【００７７】
図６に示す読取動作では、載置された複数枚の原稿が片面原稿であると判定された後に、１度だけ現在の読取動作が両面読取りである旨が報知され（Ｓ４０３、Ｓ４０４）、その後の残りの原稿は全て両面読取りされるように読取動作が行われる。原稿を読み取る毎に、片面原稿であるか否かの判定（Ｓ２０４、Ｓ２０５）や現在の読取動作が両面読取りである旨の報知（Ｓ４０３、Ｓ４０４）が行われないように、片面原稿判定フラグが用いられる。この片面原稿判定フラグのオン又はオフの情報はカウンタ値領域ＡＲ４に記憶される。本実施形態のＣＰＵ５０、Ｓ４０３、Ｓ４０４及びＬＣＤ等からなる表示装置２３は、本発明の報知部の一例である。
【００７８】
Ｓ４０１で片面原稿判定フラグの情報がオフに初期設定される。現在の読取動作が両面読取りである旨の報知（Ｓ４０３、Ｓ４０４）が行われると、Ｓ４０５で片面原稿判定フラグの情報がオンに設定される。１度片面原稿判定フラグの情報がオンに設定されると、次の原稿の読み取りから、載置された複数枚の原稿が片面原稿であるか否かの判定が行われないようにＳ４０２で片面原稿判定フラグの情報を読み取り、オンの場合（Ｓ４０２：Ｙｅｓ）、Ｓ２０４とＳ２０５との処理が飛ばされてＳ２０６の処理が行われる。また、オフの場合（Ｓ４０２：Ｎｏ）、載置された複数枚の原稿が片面原稿であるか否かの判定（Ｓ２０４、Ｓ２０５）が行われる。以上より、図６に示す読取動作によって、読取モー
ドを認識しないで読取動作を開始したユーザに、現在の読取動作が両面読取りであることを報知することができる。
【００７９】
［第４の実施形態］
第４の実施形態について図７を参照して以下に説明する。第４の実施形態は、簡単な構成にするために、カウンタを使用せずにフラグを使用する場合の実施形態である。図７は、図４に示す読取動作において、カウンタの代わりにフラグを使用した場合の読取動作のフローチャートである。図４と同じステップの番号は図４の処理と対応している。第４の実施形態の読取動作が、図４の示す読取動作と異なる点だけ説明する。
【００８０】
まず、読取動作開始指令が入力されて、このフローチャートが開始されると、初期設定として、Ｓ５０１で原稿表白紙フラグと原稿裏白紙フラグとの情報がオフに設定される。カウンタの代わりに原稿表白紙フラグと原稿裏白紙フラグとが使用されるため、カウンタ値領域ＡＲ４の代わりに、原稿表白紙フラグのオン又はオフの情報を記憶する原稿表白紙フラグメモリ領域、及び、裏面も同様に、原稿裏白紙フラグのオン又はオフの情報を記憶する原稿裏白紙フラグメモリ領域を備えるフラグ情報領域が設けられる。
【００８１】
Ｓ５０１の初期設定でオフに設定された原稿裏白紙フラグの情報は、Ｓ１０５で裏面が白紙頁であると判定される（Ｓ１０５：Ｙｅｓ）ことで、オンに設定される（Ｓ５０４）。表面も同様に原稿表白紙フラグの情報は、Ｓ２０１で表面が白紙頁であると判定される（Ｓ２０１：Ｙｅｓ）ことで、オンに設定される（Ｓ５０７）。続いて次の原稿の読み取りで読み取る原稿の裏面が白紙頁である場合、裏面が白紙頁であると判定され（Ｓ１０５：Ｙｅｓ）、Ｓ５０３で原稿裏白紙フラグの情報がオンであると判断されて（Ｓ５０３：Ｙｅｓ）、Ｓ３０２の処理が行われる。Ｓ３０２で次に原稿があれば、Ｓ３０１で読取動作が両面読取りから表面の片面読取りに切り替えられる。
【００８２】
裏面が白紙頁であると判定されない場合（Ｓ１０５：Ｎｏ）、Ｓ５０２で原稿裏白紙フラグの情報がオフに設定される。オフに設定されると次の原稿を読み取った際に、読み取った原稿の裏面が白紙頁であると判定されても、Ｓ５０３では原稿裏白紙フラグの情報はオフであると判断されて、片面読取りに切り替えられることはない。
【００８３】
表面も同様に、２回連続して読み取られた原稿の表面は白紙頁であるとＳ５０６で原稿表白紙フラグの情報がオンであることから判断されると、Ｓ３０４の処理が行われる。Ｓ３０４で次の原稿があると、Ｓ３０３で読取動作が両面読取りから裏面の片面読取りに切り替えられる。読み取った原稿の表面が白紙頁でない場合（Ｓ２０１：Ｎｏ）、Ｓ５０５で原稿表白紙フラグがオフに設定される。
【００８４】
なお、カウンタでなくフラグを用いる場合の白紙頁連続検出プログラムは、片面原稿判定値が２枚の場合と同じように処理される。つまり、２回連続して同じ側の原稿の面に白紙頁が検出されると、後続の原稿の片面は白紙頁であると判定される。以上より、カウンタを使用せずにフラグを使用して読取動作を簡易に行うことが可能である。
【００８５】
［変形例］
読取モード設定プログラムは、両面読取モードが設定されている場合にでも、複数の連続する原稿について原稿の同じ側の面に白紙頁が連続して検出されることで、検出された面の反対側の面の片面読取を行う片面読取モードに設定するプログラムであってもよい。つまり、片面を読み取る際の読取制御は、読取モード設定プログラムによって両面読取モードから片面読取モードに切り替えて、白紙頁が検出された面と反対側の面の読み取りを行うように制御される。この読取モードの設定を制御する構成では、本実施形態のＣＰＵ５０、Ｓ１０４、Ｓ３０１、Ｓ３０３及び読取モード設定領域ＰＲ３に相当する構成は、
本発明のモード制御部の一例となる。なお、原稿の同じ側の面に白紙頁が連続して検出されないときは、両面読取モードの設定が維持される。
【００８６】
また、読取モードが両面読取モードから片面読取モードに切り替えられた直後に読取動作が片面読取モードに切り替えられた旨が表示装置２３のＬＣＤ等に報知される構成を備えるとよりよい。これにより読取モードが片面読取モードに切り替えられたことが報知され、ユーザは、現在設定されている読取モードを確認することができることから、現在設定されている読取モードが認識できないために再度読取モードを設定する手間を省くことができる。
【００８７】
また、本実施例では２つのイメージセンサを用いる場合について説明したが、１つのイメージセンサのみを用いてＡＤＦの機構内で原稿をスイッチバックすることで反転させて、両面を読み取る構成であってもよい。この詳細な構成は特開２００７−３００２１９号公報などにより公知である。本実施形態のスイッチバック機構を有するＡＤＦは、本発明の原稿搬送部の一例である。
【符号の説明】
【００８８】
１０・・・複合機
１１・・・ＡＤＦ
２０・・・画像読取装置
２２・・・コンタクトガラス
２４・・・イメージセンサ
２５・・・イメージセンサ
５０・・・ＣＰＵ
５１・・・ＲＡＭ
５２・・・ＲＯＭ
５８・・・両面原稿読取部
ＡＲ１・・・画像領域
ＡＲ２・・・基準黒データ領域
ＡＲ３・・・黒データ領域
ＡＲ４・・・カウンタ領域
ＰＲ１・・・白紙頁検出領域
ＰＲ２・・・白紙頁連続検出領域
ＰＲ３・・・読取モード設定領域
ＰＲ４・・・片面両面読取切替制御領域
【図１】
2011077786.tif 000003
【図２】
2011077786.tif 000004
【図３】
2011077786.tif 000005
【図４】
2011077786.tif 000006
【図５】
2011077786.tif 000007
【図６】
2011077786.tif 000008
【図７】
2011077786.tif 000009